(57)【特許請求の範囲】
【請求項１】
プラテンに沿って走行するキャリッジに搭載された記録ヘッドが、上記プラテンとの間に搬送されるシートに画像を記録し、
上記プラテン、上記キャリッジ及び上記記録ヘッドを有してなる記録装置本体がケースに覆われて構成された記録装置において、
上記ケースの底面には、防音部材が設置される位置に、上記記録装置本体の幅方向、及び前後方向に沿って平行に延在する２本のリブが立設され、これら２本のリブ間に、その幅寸法が２本の前記リブ間の寸法よりも大きく、かつ、その高さ寸法が前記リブの高さ寸法よりも大きく形成された上記防音部材が嵌合して装着され、
２本の前記リブの内面には、上記ケースの底面から前記リブの高さ方向に延びる突起が設けられたことを特徴とする記録装置。
【請求項２】
上記記録装置本体の側方側に位置する上記防音部材の硬度が、上記記録装置本体の前方側に位置する上記防音部材の硬度よりも高く構成されたことを特徴とする請求項１記載の記録装置。
【請求項３】
上記記録装置本体の側方側に位置する上記防音部材は、上記記録装置本体の後方側の面積が前方側の面積よりも大きく構成されたことを特徴とする請求項１記載の記録装置。
【請求項４】
上記記録装置本体の重量にアンバランスがある場合に、重い側に位置する上記防音部材の硬度が、軽い側に位置する上記防音部材の硬度よりも高く構成されたことを特徴とする請求項１記載の記録装置。
【請求項５】
上記記録装置本体の重量にアンバランスがある場合に、重い側に位置する上記防音部材の面積が、軽い側に位置する上記防音部材の面積よりも大きく構成されたことを特徴とする請求項１記載の記録装置。
【請求項６】
上記ケースの底面には、シートを記録装置本体へ導くシート供給口が形成され、防音部材が上記ケースの底面において、上記シート供給口の周囲に設置されたことを特徴とする請求項1から５のいずれかに記載の記録装置。
【発明の詳細な説明】
【０００１】
【発明の属する技術分野】
本発明は、記録装置本体を覆うケースの底面に防音部材が設置された記録装置に関する。
【０００２】
【従来の技術】
一般に、キャリッジに搭載された記録ヘッドに複数の記録ワイヤを備え、これらの記録ワイヤの突出動作により、インクリボンを介してシートに画像を記録するドットインパクトプリンタが知られている。
【０００３】
このようなプリンタでは、キャリッジ及び記録ヘッドなどを有してなるプリンタ本体は、ケースによって覆われている。このケースの底面に防音用のパッドが装着されて、記録動作時にプリンタ外へ騒音が漏れることが抑制されている。
【０００４】
【発明が解決しようとする課題】
ところが、このプリンタを机などに設置しておくと、プリンタの重量バランスなどの関係で、プリンタの後方側の防音用パッドが押し潰されて、プリンタの前方側が浮き上がり、このプリンタ前方側の防音パッドの机などに対する密着性が低くなってしまう。このため、記録動作時における騒音が、プリンタの特に前方側へ漏れ出してしまう恐れがある。
【０００５】
本発明の目的は、上述の事情を考慮してなされたものであり、記録動作時における静粛性を確保できる記録装置を提供することにある。
【０００６】
【課題を解決するための手段】
請求項１に記載の発明は、プラテンに沿って走行するキャリッジに搭載された記録ヘッドが、上記プラテンとの間に搬送されるシートに画像を記録し、上記プラテン、上記キャリッジ及び上記記録ヘッドを有してなる記録装置本体がケースに覆われて構成された記録装置において、上記ケースには、防音部材が設置される位置に、上記記録装置本体の幅方向、及び前後方向に沿って平行に延在する２本のリブが立設され、これら２本のリブ間に、その幅寸法が２本の前記リブ間の寸法よりも大きく、かつ、その高さ寸法が前記リブの高さ寸法よりも大きく形成された上記防音部材が嵌合して装着され、２本の前記リブの内面には、上記ケースの底面から前記リブの高さ方向に延びる突起が設けられたことを特徴とするものである。
【０００８】
請求項２に記載の発明は、請求項１記載の発明において、上記記録装置本体の側方側に位置する上記防音部材の硬度が、上記記録装置本体の前方側に位置する上記防音部材の硬度よりも高く構成されたことを特徴とすものである。
【０００９】
請求項３に記載の発明は、請求項１記載の発明において、上記記録装置本体の側方側に位置する上記防音部材は、上記記録装置本体の後方側の面積が前方側の面積よりも大きく構成されたことを特徴とするものである。
【００１０】
請求項４に記載の発明は、請求項１記載の発明において、上記記録装置本体の重量にアンバランスがある場合に、重い側に位置する上記防音部材の硬度が、軽い側に位置する上記防音部材の硬度よりも高く構成されたことを特徴とするものである。
【００１１】
請求項５に記載の発明は、請求項１記載の発明において、上記記録装置本体の重量にアンバランスがある場合に、重い側に位置する上記防音部材の面積が、軽い側に位置する上記防音部材の面積よりも大きく構成されたことを特徴とするものである
【００１２】
請求項６に記載の発明は、請求項1から５のいずれかに記載の発明において、上記ケースの底面には、シートを記録装置本体へ導くシート供給口が形成され、防音部材が上記ケースの底面において、上記シート供給口の周囲に設置されたことを特徴とするものである。
【００１３】
【発明の実施の形態】
以下、本発明の実施の形態を、図面に基づき説明する。
【００１４】
図１は、本発明に係る記録装置の一実施の形態が適用されたドットインパクトプリンタのプリンタ本体を示す側断面図である。
【００１５】
この図に示す記録装置としてのプリンタ１０は、記録ヘッド１８の多数の記録ワイヤを、インクリボン（不図示）を介してシートに打ち付けてドットを記録することにより、文字を含む画像を印刷するドットインパクトプリンタである。このプリンタ１０は、記録装置本体としてのプリンタ本体１１と、プリンタ本体１１に装着されたプッシュトラクタユニット１２と、プリンタ本体１１の上方、下方をそれぞれ覆うアッパケース１１Ａ及びロアケース１１Ｂと、プリンタ本体１１の前方側に設置されてカットシートを案内するシート供給ガイド３９と、を有して構成される。
【００１６】
上記シートには、所定長さに切断された上記カットシートと、複数枚が連接された連続シートとがある。カットシートとしては、例えば単票紙（単票複写紙を含む）又はカットフィルム等があり、連続シートとしては連続紙（連続複写紙を含む）がある。
【００１７】
上記プリンタ本体１１は、図２に示すように、本体フレームとしてのベースフレーム１４、メインフレーム１５、左サイドフレーム１６及び右サイドフレーム１７と、記録機構部としての記録ヘッド１８及びキャリッジ１９と、シート搬送機構部としての平プラテン２０、シート案内２５、第１搬送ローラ２１、この第１搬送ローラ２１に対向する第２搬送ローラ２２、第３搬送ローラ２３及びこれに対向する第４搬送ローラ２４と、を有して構成される。また、４２はステーショナリー形式のリボンカートリッジであり、このリボンカートリッジ４２にインクリボンが収納されている。
【００１８】
ベースフレーム１４及びメインフレーム１５の略両端部に、左サイドフレーム１６及び右サイドフレーム１７が立設して固定される。これらの左サイドフレーム１６と右サイドフレーム１７間に、キャリッジガイド板２６とキャリッジガイド軸２７とが上下方向に所定距離離れて架け渡される。キャリッジガイド軸２７は左サイドフレーム１６及び右サイドフレーム１７に回動自在に枢支される。左サイドフレーム１６と右サイドフレーム１７間に平プラテン２０が架け渡されて配設されると共に、シート案内２５が固定して配設される。
【００１９】
上記プッシュトラクタユニット１２は、連続シート（例えば連続紙）を、プラテン２０を備えた上記シート搬送機構部へ供給するものであり、左右一対のトラクタ２８を有する。これらのトラクタ２８は、トラクタ駆動軸２９に回転一体且つ軸方向摺動自在に軸支されたトラクタ駆動プーリ２９Ａと、トラクタガイド軸３０に回転自在且つ軸方向に摺動自在に軸支されたトラクタ従動プーリ２９Ｂとにトラクタベルト３１が巻き掛けられ、シート押え蓋３２を備えて構成される。一対のトラクタ２８間の距離は、搬送すべき連続シート（連続紙）の幅寸法に応じて調整可能とされる。また、トラクタベルト３１の全外周に突設された複数本のピン３３が、連続シートの幅方向両側に穿設された孔（不図示）に係合可能とされる。プラテン２０を含む上記シート搬送機構部は、プラテン２０に対し、第１搬送ローラ２１及び第２搬送ローラ２２がプリンタ本体１１の前方側に、第３搬送ローラ２３及び第４搬送ローラ２４がプリンタ本体１１の後方側にそれぞれ配置されて構成される。更に、第１搬送ローラ２１と第２搬送ローラ２２が、また第３搬送ローラ２３と第４搬送ローラ２４が、それぞれ上下方向に配置されて対をなしている。
【００２０】
このうち、第１搬送ローラ２１及び第３搬送ローラ２３は、プラテン２０と共にシート案内２５の下方に配置され、第２搬送ローラ２２及び第４搬送ローラ２４がシート案内２５の上方に配置される。
【００２１】
第１搬送ローラ２１及び第４搬送ローラ２４は、図示しない駆動輪列部により、図１における時計方向（ＣＷ）または反時計方向（ＣＣＷ）に回転駆動される。また、上記プッシュトラクタユニット１２のトラクタベルト３１は、同様に上記駆動輪列部により反時計方向に駆動される。
【００２２】
上記駆動輪列部は、左サイドフレーム１６又は右サイドフレーム１７の一方、例えば右サイドフレーム１７に設置される。この駆動輪列部は、正転または逆転可能なシート搬送モータ３５の駆動軸に回転一体に固定されたモータピニオン３６を備える。このモータピニオン３６からの駆動力が巻掛け伝動機構や歯車機構等の上記駆動輪列部を介して、第１搬送ローラ２１、第４搬送ローラ２４及びプッシュトラクタユニット１２へ伝動可能とされる。尚、第２搬送ローラ２２及び第３搬送ローラ２３は従動ローラである。
【００２３】
単票紙又は複写紙等のカットシートは、プリンタ本体１１の前方側から手動供給された後、第１搬送ローラ２１及び第３搬送ローラ２３の時計方向の回転、並びに第２搬送ローラ２２、第４搬送ローラ２４の反時計方向の回転により、プリンタ本体１１の前方から後方へ向かって矢印Ａ方向に搬送される。また、上記カットシートは、第１搬送ローラ２１及び第３搬送ローラ２３の反時計方向の回転、並びに第２搬送ローラ２２、第４搬送ローラ２４の時計方向の回転により、プリンタ本体１１の後方から前方へ向かって矢印Ｂ方向に搬送される。
【００２４】
他方、連続紙等の連続シートは、プッシュトラクタユニット１２によりプリンタ本体１１の後方側から上述の矢印Ｂ方向に供給された後、第１搬送ローラ２１、第２搬送ローラ（不図示）、第３搬送ローラ２３及び第４搬送ローラ２４により同方向（矢印Ｂ方向）に搬送される。
【００２５】
これにより、カットシート及び連続シートは、キャリッジ１９の後述の主走査方向に直交する副走査方向に搬送される。
【００２６】
上記キャリッジ１９は、図２に示すように、キャリッジガイド軸２７に摺動自在に挿通されると共に、記録ヘッド１８を搭載する。
【００２７】
キャリッジガイド軸２７がプラテン２０と平行に配置されることから、キャリッジ１９は、これらプラテン２０の長手方向及びキャリッジガイド軸２７の軸方向と一致する主走査方向に走行（走査）可能に設けられる。このキャリッジ１９は、キャリッジ駆動モータ３８の正転又は逆転により往復移動されるタイミングベルト３７に結合される。従って、このキャリッジ１９は、キャリッジ駆動モータ３８の正転又は逆転により、タイミングベルト３７を介し、キャリッジガイド軸２７に案内されて、主走査方向における図２の左向き又は右向きに走査される。
【００２８】
ここで、キャリッジ駆動モータ３８は、シート搬送モータ３５と共に例えばステッピングモータにて構成される。
【００２９】
キャリッジ１９には、図１に示すように、ステーショナリー形式のリボンカートリッジ４２内のインクリボンを、プラテン２０の上面に接して搬送されるシート（カットシートまたは連続シート）から保護するリボンマスクホルダ４１が設置されている。リボンカートリッジ４２内のインクリボンは、リボン駆動軸４３により駆動されて、記録ヘッド１８の記録ワイヤの前方を、主走査方向と同一の方向に移動可能に構成される。
【００３０】
上記記録ヘッド１８は多数の記録ワイヤ（不図示）を備え、これらの記録ワイヤの突出方向前方に、上述の如くインクリボンが位置する。記録ヘッド１８は、キャリッジ１９と共に主走査方向に走査される間に、記録ワイヤを突出させてインクリボンに打ち当て、このインクリボンのインクを、プラテン２０と記録ヘッド１８との間に搬送されるシート（カットシート又は連続シート）に付着させて、このシートに文字を含む画像を記録する。
【００３１】
記録ヘッド１８による記録動作は、キャリッジ１９が主走査方向左向き又は右向きに走査される間に、記録ヘッド１８の記録ワイヤにより一行文の記録がなされ、この一行文の記録がなされる度に、シートがカットシートの場合には、シート搬送機構部（第１搬送ローラ２１、第２搬送ローラ２２、第３搬送ローラ２３及び第４搬送ローラ２４）が、またシートが連続シートの場合には、上記シート搬送機構部及びプッシュトラクタユニット１２が、それぞれシートを所定長（通常行間分）搬送させ、これらの動作が繰り返されることにより実施される。
【００３２】
ところで、記録ヘッド１８、キャリッジ１９、平プラテン２０及びメインフレーム１５などを有してなるプリンタ本体１１は、図３に示すようにアッパケース１１Ａ及びロアケース１１Ｂにより覆われるが、このうち、ロアケース１１Ｂの底面４５に防音部材としての防音パッド４６が貼着されている。
【００３３】
この防音パッド４６は、図４に示すように、プリンタ１０の前方に配置された１本の前方防音パッド４７と、プリンタ１０の両側方にそれぞれ平行に配置された側方防音パッド４８とを備えてなる。そして、両側方防音パッド４８の硬度は、前方防音パッド４７の硬度よりも高く構成されている。
【００３４】
側方防音パッド４８の硬度が前方防音パッド４７の硬度よりも高く構成されたことから、プリンタ１０が机などに設置された場合に、側方防音パッド４８におけるプリンタ１０後方側がプリンタ１０の重量により経時的に押し潰されて、プリンタ１０の後方側が低くなり、プリンタ１０の前方側が浮き上がることが抑制される。
【００３５】
また、前方防音パッド４７の硬度が側方防音パッド４８の硬度よりも低く構成されたことによって、プリンタ１０が机などに設置された場合に、前方防音パッド４７の机に対する密着性が高まる。この前方防音パッド４７の密着性は、プリンタ１０の前方側の浮き上がりが、上述のように抑制されることによって確保される。
【００３６】
なお、この実施の形態では、ロアケース１１Ｂの底面４５において、プリンタ１０の後方側に膨出部４９が形成されている。この膨出部４９の高さ寸法は、図２に示すように、前方防音パッド４７及び側方防音パッド４８の高さ寸法よりも小さく設定される。万一、硬度の高い側方防音パッド４８によってもプリンタ１０の後方側が沈み込んでしまった場合、上記膨出部４９が机などに直接当接して支持し、このプリンタ１０の後方側のそれ以上の沈み込みを防止する。
【００３７】
また、この実施の形態において、上記膨出部４９の代わりに、ロアケース１１Ｂの底面４５における後方側に、前方防音パッド４７と平行に後方防音パッド５０を貼着してもよい。この場合、この後方防音パッド５０の硬度は側方防音パッド４８と同程度が、またはそれ以上の硬度に設定される。
【００３８】
更に、上記前方防音パッド４７、側方防音パッド４８及び後方防音パッド５０は、両面テープなどを用いてロアケース１１Ｂの底面４５に貼着されるものが一般的であるが、図５、図６、図７に示すように、ロアケース１１Ｂの底面４５に、平行に延在する２本のリブ５２を立設し、これらのリブ５２間に前方防音パッド４７、側方防音パッド４８、後方防音パッド５０を嵌合して装着してもよい。
【００３９】
この場合、図５（Ａ）及び（Ｂ）では、前方防音パッド４７、側方防音パッド４８、後方防音パッド５０は、その幅寸法Ｗ１が両リブ５２間の寸法Ｘ１よりも若干大きく構成されたものが用いられる。
【００４０】
また、図６（Ａ）及び（Ｂ）では、両リブ５２の先端に内側に屈曲された爪５３が、リブ５２の長手方向全長にわたり、または適宜間隔をおいて形成されている。この場合、前方防音パッド４７、側方防音パッド４８、後方防音パッド５０は、その幅寸法Ｗ２が両リブ５２間の寸法Ｘ２よりも若干小さく、その高さ寸法Ｈ２がリブ５２の高さ寸法Ｈよりも若干大きく形成されたものが用いられる。
【００４１】
更に、図７（Ａ）及び（Ｂ）では、両リブ５２の内面に、リブ５２の高さ方向に延びる突起５４が設けられ、この突起５４は、リブ５２の長手方向に沿う適宜位置に形成されている。この場合、前方防音パッド４７、側方防音パッド４８、後方防音パッド５０は、その幅寸法Ｗ３がリブ５２間の寸法Ｘ３よりも若干大きいか、またはほぼ同程度に形成されたものが用いられる。
【００４２】
図６及び図７に示す前方防音パッド４７、側方防音パッド４８及び後方防音パッド５０は、図５に示すものに比べ、リブ５２から離脱しにくい構成となっている。
【００４３】
また、図１に示すように、ロアケース１１Ｂには、平プラテン２０の下方に凹陥部５５が形成され、この凹陥部５５内に、平プラテン２０に接触してアブソーバ５１が装着されている。記録ヘッド１８の記録ワイヤがインクリボン及びシートを介して平プラテン２０を打ち付けるときの打撃音が、上記アブソーバ５１により吸音される。このアブソーバ５１は、凹陥部５５の側面がアブソーバ５１に対してリブ５２の機能を果たし、この側面に図７に示す突起５４が形成されることによって、凹陥部５５内に離脱しにくい状態で装着される。
【００４４】
従って、上記実施の形態によれば、次の効果▲１▼及び▲２▼を奏する。
【００４５】
▲１▼ロアケース１１Ｂの底面４５に装着された防音パッド４６のうち、側方防音パッド４８の硬度が前方防音パッド４７の硬度よりも高く構成されたので、プリンタ１０を机などに設置した場合、プリンタ１０の重量により側方防音パッド４８のプリンタ１０後方側が経時的に押し潰されて、プリンタ１０の後方側が低くなり、プリンタ１０の前方側が浮き上がることを防止できる。このため、前方防音パッド４７が机などのプリンタ１０の設置面に密着する密着性が良好に確保されて、プリンタ１０の記録動作時における騒音が、プリンタ１０の特に前方に漏れ出すことを防止でき、静粛性を確保できる。
【００４６】
▲２▼前方防音パッド４７、側方防音パッド４８、後方防音パッド５０、アブソーバ５１がリブ５２を介してロアケース１１Ｂの底面４５に装着されることによって、両面テープなどの接着剤を用いる場合に比べ、プリンタ１０の分解時に前方防音パッド４７、側方防音パッド４８、後方防音パッド５０、アブソーバ５１を剥しやすくなり、しかも、両面テープなどの剥し残しが生じないことから、リサイクル性を向上させることができる。
【００４７】
図８は、本発明に係る記録装置の他の実施の形態が適用されたドットインパクトプリンタを、下方から目視した斜視図である。この他の実施の形態において、前記一実施の形態と同様な部分は、同一の符号を付すことにより説明を省略する。
【００４８】
このプリンタでは、ロアケース１１Ｂの底面４５に両面テープなどを用いて貼着、またはリブ５２を介して嵌合して装着された両側方防音パッド６０は、プリンタ１０の後方側部分６０Ｂがプリンタ１０の前方側部分６０Ａよりも面積が大きく形成されている。
【００４９】
これにより、プリンタ１０が机などに設置された場合、プリンタ１０の重量によって側方防音パッド６０の後方側部分６０Ｂが経時的に押し潰されることが抑制されるので、プリンタ１０の前方側の浮き上がりを防止でき、前方防音パッド４７による防音機能を良好に確保できる。
【００５０】
以上、本発明を上記実施の形態に基づいて説明したが、本発明はこれに限定されるものではない。
【００５１】
例えば、プリンタ１０の重量バランスがプリンタ１０の前後方向中央位置になく、いずれかに偏って重量アンバランスが生じている場合には、重量が強く作用する（重い）側の防音パッド４６の硬度を、重量が強く作用しない（軽い）側の防音パッド４６の硬度に比べて高く設定してもよく、あるいは、重量が強く作用する（重い）側の防音パッド４６の面積を、重量が強く作用しない（軽い）側の防音パッド４６の面積よりも大きく形成してもよい。
【００５２】
更に、ドットインパクトプリンタにおいて、ロアケース１１Ｂの底面４５に、シートをプリンタ本体１１へ導くシート供給口(不図示)が開口されている場合には、上述の防音パッド４６、前方防音パッド４７、側方防音パッド４８、側方防音パッド６０は、このシート供給口の周囲に形成されることになる。この場合、シート供給口を経て漏れ出る記録ヘッド１８における記録ワイヤの打撃音は、防音パッド４６、前方防音パッド４７、側方防音パッド４８、側方防音パッド６０によって良好に吸音され防音される。
【００５３】
また、上記プリンタ１０は、ドットインパクトプリンタの場合を述べたが、インクジェットプリンタやタイプライタなどにも本発明を適用できる。
【００５４】
【発明の効果】
本発明に係る記録装置によれば、記録動作時における静粛性を確保できる。
【図面の簡単な説明】
【図１】本発明に係る記録装置の一実施の形態が適用されたドットインパクトプリンタのプリンタ本体を示す断面図である。
【図２】図１のプリンタ本体を示す斜視図である。
【図３】図１のプリンタを示す斜視図である。
【図４】図１のプリンタを底面から目視して示す斜視図である。
【図５】図４の防音パッドの装着構造を示す断面図である。
【図６】図４の防音パッドの装着構造を示す断面図である。
【図７】図４の防音パッドの装着構造を示す断面図である。
【図８】本発明に係る記録装置の他の実施の形態が適用されたドットインパクトプリンタを、下方から目視して示す斜視図である。
【符号の説明】
１０  プリンタ(記録装置)
１１  プリンタ本体(記録装置本体)
１１Ｂ  ロアケース
１８  記録ヘッド
１９  キャリッジ
２０  平プラテン
４５  底面
４６  防音パッド
４７  前方防音パッド
４８  側方防音パッド
６０  側方防音パッド
６０Ａ  前方側部分
６０Ｂ  後方側部分
【図１】
0003963113.tif 000002
【図２】
0003963113.tif 000003
【図３】
0003963113.tif 000004
【図４】
0003963113.tif 000005
【図５】
0003963113.tif 000006
【図６】
0003963113.tif 000007
【図７】
0003963113.tif 000008
【図８】
0003963113.tif 000009